(57)【要約】【課題】  音響機器のみで測定器の動特性を簡単に測定することが可能な動特性測定方法および装置を提供することである。【解決手段】  正弦波信号を、測定器の立ち上がり特性を測定するために必要な継続時間ΔＴ１の間、測定器の立ち上がり特性を測定するための基準レベルで発生させ、測定器の指示針の動きが正の方向から負の方向へ変化するのを確認するために十分な長さの継続時間ΔＴ２の間、正弦波信号の発生を停止し、その後、レベル可変の正弦波信号を測定器の指示値を読み取るのに十分な時間発生させて、測定器の立ち上がり特性を測定する動特性測定方法である。【選択図】        図２
2005241341.tif 000002
【特許請求の範囲】
【請求項１】
測定器の動特性を測定する方法であって、
正弦波信号を、前記測定器の立ち上がり特性を測定するために必要な継続時間ΔＴ１の間、前記測定器の立ち上がり特性を測定するための基準レベルで発生させる第１のステップと、
前記第１のステップの後、前記測定器の指示針の動きが正の方向から負の方向へ変化するのを確認するために十分な長さの継続時間ΔＴ２の間、正弦波信号の発生を停止する第２のステップと、
前記第２のステップの後、レベル可変の正弦波信号を前記測定器の指示値を読み取るのに十分な時間発生させる第３のステップと、
を有する前記測定器の立ち上がり特性を測定する動特性測定方法。
【請求項２】
請求項１に記載の動特性測定方法であって、
前記第３のステップにおける前記レベル可変の正弦波信号のレベルを変更して、前記第１ないし第３のステップを繰り返し、前記第１のステップにおける前記測定器の指示針の最大値と等しくまたは略等しくなるように、前記第３のステップにおける正弦波信号のレベルを調整する動特性測定方法。
【請求項３】
測定器の動特性を測定する方法であって、
前記測定器の立ち下がり特性を測定するための基準レベルの正弦波信号を長時間発生させる第１のステップと、
前記第１のステップの後、前記測定器の立ち下がり特性を測定するために必要な継続時間ΔＴ１の間、前記正弦波信号の発生を停止する第２のステップと、
前記第２のステップの後、前記測定器の指示針の動きが負の方向から正の方向へ変化するのを確認するために十分な長さの継続時間ΔＴ２の間、前記基準レベルの正弦波信号を発生させる第３のステップと、
前記第３のステップの後、レベル可変の正弦波信号を前記測定器の指示値を読み取るのに十分な時間発生させる第４のステップと、
を有する前記測定器の立ち下がり特性を測定する動特性測定方法。
【請求項４】
請求項３に記載の動特性測定方法であって、
前記第４のステップにおける前記レベル可変の正弦波信号のレベルを変更して、前記第１ないし第４のステップを繰り返し、前記第２のステップにおける前記測定器の指示針の最低値と等しくまたは略等しくなるように、前記第４のステップにおける正弦波信号のレベルを調整する動特性測定方法。
【請求項５】
測定器の立ち上がり特性を測定する動特性測定装置であって、
正弦波信号を発生させる正弦波信号発生部と、
前記正弦波信号の出力と停止を制御するゲート制御部と、
前記正弦波信号のレベルを制御するレベル可変制御部と、
正弦波信号を、前記測定器の立ち上がり特性を測定するために必要な継続時間ΔＴ１の間、前記測定器の立ち上がり特性を測定するための基準レベルで発生させた後、前記測定器の指示針の動きが正の方向から負の方向へ変化するのを確認するために十分な長さの継続時間ΔＴ２の間、正弦波信号の発生を停止し、その後、レベル可変の正弦波信号を前記測定器の指示値を読み取るのに十分な時間発生させるように、前記ゲート制御部および前記レベル可変制御部を制御するタイミング可変制御部と、
を備える動特性測定装置。
【請求項６】
測定器の立ち下がり特性を測定する動特性測定装置であって、
正弦波信号を発生させる正弦波信号発生部と、
前記正弦波信号の出力と停止を制御するゲート制御部と、
前記正弦波信号のレベルを制御するレベル可変制御部と、
前記測定器の立ち下がり特性を測定するための基準レベルの正弦波信号を長時間発生させた後、前記測定器の立ち下がり特性を測定するために必要な継続時間ΔＴ１の間、前記正弦波信号の発生を停止し、その後、前記測定器の指示針の動きが負の方向から正の方向へ変化するのを確認するために十分な長さの継続時間ΔＴ２の間、前記基準レベルの正弦波信号を発生させ、その後、レベル可変の正弦波信号を前記測定器の指示値を読み取るのに十分な時間発生させるように、前記ゲート制御部および前記レベル可変制御部を制御するタイミング可変制御部と、
を備える動特性測定装置。
【請求項７】
請求項５または請求項６に記載の動特性測定装置であって、前記継続時間△Ｔ１および△Ｔ２が可変である動特性測定装置。
【請求項８】
請求項５または請求項６に記載の動特性測定装置であって、前記レベル可変の正弦波信号のレベルは複数の固定レベルのいずれかを選択したものである動特性測定装置。
【発明の詳細な説明】
【技術分野】
【０００１】
本発明は、測定器の動特性測定方法および装置に関し、特に、ＶＵ計（Ｖｏｌｕｍｅ  Ｕｎｉｔ計）や騒音計など、立ち上がり特性や時定数などの動特性が規定されている測定器の動特性を簡単に測定するための方法および装置に関するものである。
【背景技術】
【０００２】
従来、動特性の測定には測定器の立ち上がり時間より十分長く継続する純音信号を測定器に入力し、その指示値の動きを高速度カメラで撮影する方法があった。
【０００３】
また、ＶＵ計の動特性の測定には光電式パルス間隔測定方式、すなわち、あらかじめＶＵ計の一点に光をあてておき、ＶＵ計に信号を入力すると同時に開始パルスを発生させ、針が光をあてた位置を横切った瞬間を受光器で検出し停止パルスを発生させて、開始パルスから停止パルスまでの時間を測定することによりＶＵ計の立ち上がり特性を測定する方法（非特許文献１の「６．立ち上がり時間の測定について」参照）があったが、光源や受光器などの装置が必要であった。
【０００４】
いずれの方法も、針の動きを撮影するための高速度カメラあるいは光を検出するための受光装置などが必要で、音響機器だけでは動特性を測定することはできなかった。
【０００５】
【非特許文献１】日本放送協会、放送技術規格  ＢＴＳ  ５７０３  ＶＵ計、昭和３０年１月２０日制定、昭和３９年６月２７日改正
【発明の開示】
【発明が解決しようとする課題】
【０００６】
従来は動特性の測定に、針の動きを検出するための映像機器あるいは光検出器などが必要であったが、本発明の目的は、音響機器のみで動特性を簡単に測定することが可能な動特性測定方法および装置を提供することにある。
【０００７】
本発明の前記ならびにその他の目的と新規な特徴は、本明細書の記述および添付図面によって明らかになるであろう。
【課題を解決するための手段】
【０００８】
本願において開示される発明のうち、代表的なものの概要を簡単に説明すれば、下記のとおりである。
【０００９】
（１）測定器の動特性を測定する方法であって、正弦波信号を、前記測定器の立ち上がり特性を測定するために必要な継続時間ΔＴ１の間、前記測定器の立ち上がり特性を測定するための基準レベルで発生させる第１のステップと、前記第１のステップの後、前記測定器の指示針の動きが正の方向から負の方向へ変化するのを確認するために十分な長さの継続時間ΔＴ２の間、正弦波信号の発生を停止する第２のステップと、前記第２のステップの後、レベル可変の正弦波信号を前記測定器の指示値を読み取るのに十分な時間発生させる第３のステップとを有する前記測定器の立ち上がり特性を測定する動特性測定方法である。
【００１０】
（２）前述する（１）に記載の動特性測定方法であって、前記第３のステップにおける前記レベル可変の正弦波信号のレベルを変更して、前記第１ないし第３のステップを繰り返し、前記第１のステップにおける前記測定器の指示針の最大値と等しくまたは略等しくなるように、前記第３のステップにおける正弦波信号のレベルを調整する。
【００１１】
（３）測定器の動特性を測定する方法であって、前記測定器の立ち下がり特性を測定するための基準レベルの正弦波信号を長時間発生させる第１のステップと、前記第１のステップの後、前記測定器の立ち下がり特性を測定するために必要な継続時間ΔＴ１の間、前記正弦波信号の発生を停止する第２のステップと、前記第２のステップの後、前記測定器の指示針の動きが負の方向から正の方向へ変化するのを確認するために十分な長さの継続時間ΔＴ２の間、前記基準レベルの正弦波信号を発生させる第３のステップと、前記第３のステップの後、レベル可変の正弦波信号を前記測定器の指示値を読み取るのに十分な時間発生させる第４のステップとを有する前記測定器の立ち下がり特性を測定する動特性測定方法である。
【００１２】
（４）前述する（３）に記載の動特性測定方法であって、前記第４のステップにおける前記レベル可変の正弦波信号のレベルを変更して、前記第１ないし第４のステップを繰り返し、前記第２のステップにおける前記測定器の指示針の最低値と等しくまたは略等しくなるように、前記第４のステップにおける正弦波信号のレベルを調整する。
【００１３】
（５）測定器の立ち上がり特性を測定する動特性測定装置であって、正弦波信号を発生させる正弦波信号発生部と、前記正弦波信号の出力と停止を制御するゲート制御部と、前記正弦波信号のレベルを制御するレベル可変制御部と、正弦波信号を、前記測定器の立ち上がり特性を測定するために必要な継続時間ΔＴ１の間、前記測定器の立ち上がり特性を測定するための基準レベルで発生させた後、前記測定器の指示針の動きが正の方向から負の方向へ変化するのを確認するために十分な長さの継続時間ΔＴ２の間、正弦波信号の発生を停止し、その後、レベル可変の正弦波信号を前記測定器の指示値を読み取るのに十分な時間発生させるように、前記ゲート制御部および前記レベル可変制御部を制御するタイミング可変制御部とを備える。
【００１４】
（６）測定器の立ち下がり特性を測定する動特性測定装置であって、正弦波信号を発生させる正弦波信号発生部と、前記正弦波信号の出力と停止を制御するゲート制御部と、前記正弦波信号のレベルを制御するレベル可変制御部と、前記測定器の立ち下がり特性を測定するための基準レベルの正弦波信号を長時間発生させた後、前記測定器の立ち下がり特性を測定するために必要な継続時間ΔＴ１の間、前記正弦波信号の発生を停止し、その後、前記測定器の指示針の動きが負の方向から正の方向へ変化するのを確認するために十分な長さの継続時間ΔＴ２の間、前記基準レベルの正弦波信号を発生させ、その後、レベル可変の正弦波信号を前記測定器の指示値を読み取るのに十分な時間発生させるように、前記ゲート制御部および前記レベル可変制御部を制御するタイミング可変制御部とを備える。
【００１５】
（７）前述する（５）または（６）に記載の動特性測定装置であって、前記継続時間△Ｔ１および△Ｔ２が可変である。
【００１６】
（８）前述する（５）または（６）に記載の動特性測定装置であって、前記レベル可変の正弦波信号のレベルは複数の固定レベルのいずれかを選択したものである。
【００１７】
前述した手段によれば、立ち上がり特性の測定においては、信号レベルが０の状態から、測定したい時間だけ継続する短時間の純音信号として継続時間ΔＴ１の正弦波信号を基準レベルで出力した後、継続時間ΔＴ２の間、正弦波信号を停止して短時間の無音区間を挿入し、その後、レベル可変の純音信号として正弦波信号を長時間出力することによって立ち上がり特性の測定を行う。
【００１８】
一方、立ち下がり特性の測定においては、基準レベルの純音信号として正弦波信号を長時間出力した後に、継続時間ΔＴ１の間、正弦波信号を停止して短時間の無音区間を挿入し、その後、短時間の基準レベルの純音信号として継続時間ΔＴ１の正弦波信号を出力した後、レベル可変の信号として正弦波信号を長時間出力することによって立ち下がり特性の測定を行う。
【００１９】
なお、本発明による動特性測定装置による出力をコンピュータなどでディジタル合成して得ることもできる。ただし、あらかじめ信号を合成する場合で、継続時間の可変やレベルの可変を実時間で行うことが困難な場合には、数種類の継続時間およびレベルで信号を合成しておく必要がある。特に、レベルの可変においては「発明の実施の形態」で示す「最も適したレベル」で合成した信号を用いて測定を行うほど、測定精度が高くなる。
【発明の効果】
【００２０】
本願において開示される発明のうち代表的なものによって得られる効果を簡単に説明すれば、下記の通りである。
【００２１】
本発明により、映像機器あるいは光検出器などがなければ測定が不可能だった測定器の動特性が、音響機器だけで測定できるようになる。
【００２２】
すなわち、ＶＵ計や騒音計の動特性のバラツキによって生じるＶＵレベルや騒音レベルの測定誤差を定量的に明らかにすることが簡単にできるようになる。
【発明を実施するための最良の形態】
【００２３】
以下、図面を参照して、発明の実施の形態を詳細に説明する。なお、発明の実施の形態を説明するための全図において、同一機能を有するものは同一符号を付け、その繰り返しの説明は省略する。
【００２４】
図１は本発明の一実施の形態である動特性測定装置の原理的構成例を示す図である。
【００２５】
図１に示すように、本実施の形態の動特性測定装置は、図示しない入力部からの設定値に基づいた周波数の正弦波信号を発生する正弦波信号発生部１と、正弦波信号発生部１から出力される正弦波信号のレベル可変制御部３への通過と遮断を制御するゲート制御部２と、入力された正弦波信号の出力レベルを可変するレベル可変制御部３と、ゲート制御部２における正弦波信号の通過と遮断のタイミングを制御すると共に、レベル可変制御部３における出力レベルを制御するタイミング可変制御部４とから構成されている。本実施の形態の動特性測定装置は、正弦波信号発生部１、ゲート制御部２、レベル可変制御部３、タイミング可変制御部４を一つの筐体内に収納した装置として構成してもよいし、これらの一部または全部がそれぞれ別々の装置であり、それらをケーブル等で接続して構成してもよい。また、本実施形態の動特性測定装置は、ＤＳＰ（デジタル・シグナル・プロセッサ）またはＣＰＵと記憶装置に格納したプログラムで構成してもよい。
【００２６】
本実施の形態の動特性測定装置は、タイミング可変制御部４から再生時刻可変のタイミングパルスｔ１、ｔ２、ｔ３およびｔ４を発生させ、このタイミングパルスｔ１、ｔ２、ｔ３およびｔ４に従って正弦波信号発生部１からの信号を、ゲート制御部２で通過あるいは遮断させるとともに、各区間のレベルをレベル可変制御部３で変化させた信号を動特性測定用信号とする。
【００２７】
図２に本発明による「立ち上がり特性」測定用信号の例を示す。正弦波信号発生部１では目的に合った周波数の正弦波信号を発生させる。例えば、ＶＵ計の動特性を測定する場合には約１ｋＨｚを用いると良い。発生させる正弦波の周波数は測定器の立ち上がり時間の数分の一、あるいは十数分の一の時間で十分に信号が矩形波的に立ち上がる周波数であれば良い。
【００２８】
時刻ｔ１で基準のレベルＬ１（例えば、ＶＵ計の立ち上がり特性は「０ＶＵを指示する１ｋＨｚの正弦波信号を０Ｖの状態から突然加えたとき、０ＶＵの９９％に指示値が達する時間が２７０ｍｓから３３０ｍｓの範囲であること」と規定されているので、ＶＵ計の基準のレベルＬ１は０ＶＵで、この基準のレベルを持つ信号を立ち上がり時間より十分長い時間ＶＵ計に入力すればＶＵ計は０ＶＵを指示することになる）で信号を出力し、時刻ｔ２で信号を遮断した後、時刻ｔ３からｔ４の間でレベルがＬ２の信号を出力させるようにする。
【００２９】
タイミング可変制御部４でタイミングパルスの時刻ｔ１、ｔ２、ｔ３およびｔ４を変えることにより、基準レベルの信号の継続時間△Ｔ１（時刻ｔ１〜ｔ２の期間）、信号の遮断時間△Ｔ２（時刻ｔ２〜ｔ３の期間）およびレベルＬ２の信号の継続時間△Ｔ３（時刻ｔ３〜ｔ４の期間）を変えることができる。
【００３０】
すなわち、タイミング可変制御部４がゲート制御部２を制御し、正弦波信号発生部１から入力された正弦波信号を時刻ｔ１でレベル可変制御部３に通過させると共に、レベル可変制御部３を制御し、入力された正弦波信号レベルをレベルＬ１で出力させることにより、レベルＬ１の正弦波信号が計測用信号として出力される。
【００３１】
次に、タイミング可変制御部４は時刻ｔ２にゲート制御部２を制御し、入力された正弦波信号を遮断させることにより、時刻ｔ２でレベルＬ１の正弦波信号（計測用信号）の出力を停止させる。
【００３２】
次に、タイミング可変制御部４は時刻ｔ３にゲート制御部２を制御し、正弦波信号を通過させると共に、レベル可変制御部３を制御し、入力された正弦波信号のレベルをレベルＬ２で出力させることにより、時刻ｔ３にレベルＬ２の計測用信号を出力させる。
【００３３】
次に、タイミング可変制御部４は時刻ｔ４にゲート制御部２を制御し、入力された正弦波信号を遮断させることにより、時刻ｔ４でレベルＬ２の計測用信号の出力を停止させる。
【００３４】
このように、タイミング可変制御部４がタイミングパルスｔ１、ｔ２、ｔ３およびｔ４に基づいてゲート制御部２とレベル可変制御部４を制御することにより、正弦波信号発生部１で発生した正弦波信号から図２に示す計測用信号を得て、図示しない計測器に出力する。
【００３５】
図３に、図２に示す測定用信号を入力した場合の測定器の指示値の変化の様子を示す。時刻ｔ１で基準のレベルの信号が入力されるので、指示値は増加し、時刻ｔ２で信号が０となるので、指示値は減少に転じる。さらに、時刻ｔ３にレベルＬ２の信号が入力されるのでＬ２のレベルを定常状態で指示するように変化し、時刻ｔ４で信号が０になるので、指示値は減少に転じる。
【００３６】
継続時間△Ｔ１と時刻ｔ２の時の指示値の関係が測定器の立ち上がり特性である。時刻ｔ２で、一瞬ではあるが指示針の動きの方向が正から負に転じるので、時刻ｔ２の時に指示している位置を目視で確認することは可能である。しかし、この位置を凝視していると、目盛りの値を読むことが困難で、目盛りの値を読むためには、目盛りに視線を動かさなければならないが、目盛りに視線を動かすことにより、指示値のピークの位置があやふやになり、測定精度が劣ることになる。そこで、遮断時間△Ｔ２に続いて、レベルＬ２の信号を入力し、この指示値が、先の時刻ｔ２の指示値のピークと等しくなるようにレベルＬ２を調整し、ピークの位置が長時間（△Ｔ３）に渡って確認できるようにする。すなわち、時刻ｔ２の指示値を長時間指示するようにレベルＬ２を設定した後に、視線を目盛りに動かして正確に指示値を読むことができるようにする。
【００３７】
例えば、ＶＵ計の立ち上がり特性の測定には、△Ｔ１を０ｍｓ〜３３０ｍｓ程度あるいはそれ以上の範囲で変化させて、それぞれの時刻ｔ２のピーク値を読み取ることにより、動特性が測定できる。△Ｔ２の長さは時刻ｔ２で指示針の動きが正の方向から負の方向へ変化するのが確認できる長さで良く、ＶＵ計の場合には５０〜１００ｍｓ程度である。△Ｔ２を極端に０に近づけると、時刻ｔ２のピークの値が後続の信号によって影響を受けることがあるので、極端に０に近づけるのは好ましくない。また、△Ｔ３は指示値を読み取ることができるのに十分な時間であれば良く、約１秒程度以上あれば良い。レベルＬ２を時刻ｔ２のピーク値に正確に合わせることが最も良いが、多少ずれていても時刻ｔ２のピーク値を精度良く読むことは可能である。しかし、極端にレベルが異なる場合には測定精度が劣ることになる。
【００３８】
なお、実際の測定では、図２の一連の信号を繰り返し測定器に入力し、レベルＬ２の調整を正確に行ってからピーク値を読み取ると良い。例えば、時刻ｔ１〜ｔ４の出力パターンで測定用信号を繰り返し発生させる際に、繰り返し毎に、レベルＬ３を順次大きくまたは小さくすることによって、レベルＬ１の正弦波信号によって得られる指示値のピークとレベルＬ２の正弦波信号よって得られる指示値とを近づけることができる。その結果、指示値の読み取りに十分な時間である継続時間ΔＴ３で時刻ｔ２における指示値を読み取ることができ、ピークの指示値（指示針の最大値）を精度良く読むことができる。
【００３９】
図４に本発明による「立ち下がり特性」測定用信号の例を示す。正弦波信号発生部１では目的に合った周波数の正弦波信号を発生させる。例えば、ＶＵ計の動特性を測定する場合には約１ｋＨｚで良い。
【００４０】
正弦波信号を基準のレベルＬ１（例えば、ＶＵ計の場合は０ＶＵ）で十分長い時間出力させておいて、時刻ｔ１で遮断し、時刻ｔ２で再びレベルＬ２で信号を出力させた後、時刻ｔ３からｔ４の間でレベルがＬ３の信号を出力させ、時刻ｔ４で基準レベルＬ４の信号を出力させるようにする。タイミング可変制御部でタイミングパルスの時刻ｔ１、ｔ２、ｔ３およびｔ４を変えることにより、無音区間の継続時間△Ｔ１、レベルＬ２の信号の継続時間△Ｔ２およびレベルＬ３の信号の継続時間△Ｔ３を変えることができる。
【００４１】
すなわち、前述の立ち上がり特性の測定時と同様に、タイミング可変制御部４がタイミングパルスｔ１、ｔ２、ｔ３およびｔ４に基づいてゲート制御部２とレベル可変制御部４を制御することにより、正弦波信号発生部１で発生した正弦波信号から図４に示す計測用信号を得る。
【００４２】
図５に、この測定用信号を入力した場合の測定器の指示値の変化の様子を示す。測定器は、最初、基準のレベルを指示しているが、時刻ｔ１で信号が遮断されるので、指示値は減少する。しかし、時刻ｔ２でレベルＬ２の信号が入力されるので、指示値は増加に転じる。さらに、時刻ｔ３にレベルＬ３の信号が入力されるのでＬ３のレベルを定常状態で指示するように変化し、時刻ｔ４で基準レベルの信号が入力されるので、測定器は基準のレベルを指示するようになる。Ｌ２のレベルは指示針の動きの方向が時刻ｔ２で減少から増加に転じる程度で良いが、通常は基準のレベルＬ１と同じにすれば良い。
【００４３】
継続時間△Ｔ１と時刻ｔ２の時の指示値の関係が測定器の立ち下がり特性である。時刻ｔ２で、一瞬ではあるが指示針の動きの方向が負から正に転じるので、時刻ｔ２の時に指示している位置を目視で確認することは可能である。しかし、立ち上がり特性の測定の時と同様に、この指示値を精度良く読むことは困難である。そこで、レベルＬ３の信号を入力し、この指示値が、先の時刻ｔ２の落ち込みのピークと等しくなるようにレベルＬ３を調整し、落ち込みのピークの位置が長時間（△Ｔ３）に渡って確認できるようにする。すなわち、時刻ｔ２の指示値を長時間指示するように設定した後に、視線を目盛りに動かして正確に指示値を読めば良い。
【００４４】
例えば、ＶＵ計の立ち下がり特性の測定には、△Ｔ１を０ｍｓ〜３３０ｍｓ程度あるいはそれ以上の範囲で変化させて、それぞれの時刻ｔ２の落ち込みのピーク値を読み取ることにより、動特性が測定できる。△Ｔ２の長さは時刻ｔ２で指示針の動きの方向が負から正の方向へ変化するのが確認できる長さで良く、ＶＵ計の場合には５０〜１００ｍｓ程度である。△Ｔ２を極端に０に近づけると、時刻ｔ２の落ち込みのピークの値が後続の信号によって影響を受けることがあるので、極端に０に近づけるのは好ましくない。また、△Ｔ３は指示値を読み取ることができるのに十分な時間であれば良く、約１秒程度以上あれば良い。継続時間△Ｔ３の信号のレベルＬ３を時刻ｔ２のピーク値に正確に合わせるのが最も良いが、多少ずれていても時刻ｔ２のピーク値を精度良く読むことは可能である。しかし、極端にレベルが異なる場合には測定精度が劣ることになる。
【００４５】
なお、実際の測定では、図４の一連の信号を繰り返し測定器に入力し、レベルＬ３の調整を正確に行ってからピーク値を読み取ると良い。この場合も前述する立ち上がり特性と同様に、例えば、時刻ｔ１〜ｔ４の出力パターンで測定用信号を繰り返し発生させる際に、繰り返し毎に、レベルＬ３の値が、例えば０ＶＵの場合は順次小さく、また−∞ＶＵの場合は順次大きくすることによって、測定用信号の停止によって得られた指示値の落ち込みのピークとレベルＬ３の入力によって得られる指示値とを近づけることができる。その結果、継続時間ΔＴ１の測定用信号の停止で得られる落ち込みのピークの指示値を、指示値の読み取りに十分な時間である時刻ｔ３〜ｔ４の継続時間ΔＴ３で読み取ることができ、ピークの指示値（指示針の最小値）を精度良く読むことができる。
【００４６】
以上の説明では、ＶＵ計の立ち上がり特性と立ち下がり特性を測定する場合について説明したが、レベル可変制御部３から出力される計測用信号をスピーカ等で純音に変換して騒音計に入力することによって、騒音計の立ち上がり特性と立ち下がり特性を計測するための純音信号が計測用信号として得られる。
【００４７】
以上説明したように、本実施の形態の動特性測定装置で発生させ出力した計測用信号をＶＵ計や騒音計に入力させることによって、測定器の指示値の振れのピークや落ち込みのピークを目視で精度良く読み取ることが可能となるので、動特性の測定に高速度カメラなどは必要なく、動特性の測定が音響機器だけで簡単にできる。
【００４８】
ＶＵ計や騒音計等の測定器の動特性を簡単に測定することができるようになるので、測定器の動特性のバラツキによって生じる測定誤差を客観的に評価することができるようになる。また、動特性の悪い測定器を除外することも可能になる。
【００４９】
なお、本実施の形態の動特性測定装置では、継続時間ΔＴ３内での信号出力レベルはレベルＬ２で一定であるが、例えば検査者が継続時間ΔＴ３内でボリューム等によりレベルＬ２を可変させる構成とすることによって、時間ｔ２の指示値に継続時間ΔＴ３の指示値を合わせるようにしても良い。
【００５０】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【図面の簡単な説明】
【００５１】
【図１】本発明の一実施の形態である動特性測定装置の原理的構成例を示す図である。
【図２】本発明による「立ち上がり特性」測定用信号の例を示す図である。
【図３】図２に示す立ち上がり特性測定用信号による測定器の指示値の変化の例を示す図である。
【図４】本発明による「立ち下がり特性」測定用信号の例を示す図である。
【図５】図４に示す立ち下がり特性測定用信号による測定器の指示値の変化の例を示す図である。
【符号の説明】
【００５２】
１…正弦波信号発生部                    ２…ゲート制御部
３…レベル可変制御部                    ４…タイミング可変制御部
ｔ１、ｔ２、ｔ３、ｔ４…制御時刻        △Ｔ１、△Ｔ２、△Ｔ３…継続時間
Ｌ１、Ｌ２、Ｌ３、Ｌ４…信号レベル
【図１】
2005241341.tif 000003
【図２】
2005241341.tif 000004
【図３】
2005241341.tif 000005
【図４】
2005241341.tif 000006
【図５】
2005241341.tif 000007